(57)【要約】【課題】  子供の成長に合わせて用途およびサイズを変更可能とすることにより、継続使用可能な育児器具を提供する。【解決手段】  育児器具１１は、基本構成として、左右一対の縦側板１２ａと幅方向連結部材１２ｂとを有する縦フレーム部材１２と、左右一対のベース側板１３ａと幅方向連結部材１３ｂとを有するベースフレーム部材１３とを備え、両部材１２，１３は縦フレーム部材１２の下端部で相互に連結されている。育児器具１１の揺動式ベッドの形態においては、さらに縦側板１２ａに支持板１４を介して寝床部材１５が設けられており、寝床部材１５は、回動軸１５ａ〜１５ｄにより揺動可能とされる。【選択図】      図２
2006320508.tif 000002
【特許請求の範囲】
【請求項１】
ベッドの形態と、椅子の形態とに切替可能な育児器具であって、
上下方向に延びる縦フレーム部材と、
前記縦フレーム部材の下端部に連結されたベースフレーム部材とを備え、
前記ベッドの形態においては、前記縦フレーム部材に揺動可能に支持された寝床部材を設け、
前記椅子の形態においては、前記縦フレーム部材の中間位置に支持された座板を設ける、育児器具。
【請求項２】
前記縦フレーム部材は、上下方向に延びる一対の縦側板と、前記一対の縦側板を連結する連結部材とを有し、
前記椅子の形態においては、前記連結部材は背もたれとして機能する、請求項１に記載の育児器具。
【請求項３】
前記椅子の形態においては、前記座板よりも下方に足板をさらに設ける、請求項１または２に記載の育児器具。
【請求項４】
前記椅子の形態においては、前記座板よりも上方に手摺部材をさらに設ける、請求項１〜３のいずれかに記載の育児器具。
【請求項５】
前記縦フレーム部材は、前記座板および前記足板の上下方向の位置を調整する高さ調整手段を有する、請求項１〜４のいずれかに記載の育児器具。
【請求項６】
前記縦フレーム部材は、前記ベースフレーム部材に対する角度を変更可能に連結されている、請求項１〜５のいずれかに記載の育児器具。
【発明の詳細な説明】
【技術分野】
【０００１】
この発明は、育児器具、特に揺動式ベッドの形態と椅子の形態とに切替可能で、成長に合わせて継続使用可能な育児器具に関するものである。
【背景技術】
【０００２】
従来、生後間もない乳児は、例えば、実開昭６３−２０２３５３号公報（特許文献１）に記載されているようなベビーベッドに寝かされる。同公報に記載されているベビーベッド１は、図１に示すように、矩形の寝床部材２と、寝床部材２の頭側端部に位置する頭部側支持枠３および足側端部に位置する足側支持枠４とを備える。また、乳児を安眠させるために、寝床部材２は、頭側支持枠３および足部側支持枠４から吊り下げ部材５により揺動可能に支持されている。
【特許文献１】実開昭６３−２０２３５３号公報
【発明の開示】
【発明が解決しようとする課題】
【０００３】
上記構成のようなベビーベッド１は、生後の一定期間は使用されるが、子供がある程度成長すると使用されなくなる。また、子供の各成長過程において必要となる育児器具は多く、さらに乳幼児期は成長が非常に早く個人差が大きいため、成長に合わせて用途およびサイズを変更可能な育児器具であることが望まれる。
【０００４】
そこで、この発明は、子供の成長に合わせて用途およびサイズを変更可能とすることにより、継続使用可能な育児器具を提供することを目的とする。
【課題を解決するための手段】
【０００５】
この発明に係る育児器具は、ベッドの形態と、椅子の形態とに切替可能な育児器具であって、上下方向に延びる縦フレーム部材と、縦フレーム部材の下端部に連結されたベースフレーム部材とを備える。そして、ベッドの形態においては、縦フレーム部材に揺動可能に支持された寝床部材を設け、椅子の形態においては、縦フレーム部材の中間位置に支持された座板を設ける。
【０００６】
上記構成の育児器具は、乳児期には揺動式ベビーベッドとして、ある程度成長してからは椅子として使用可能であるので、子供の成長に合わせて継続して使用可能な育児器具を得ることができる。
【０００７】
好ましくは、縦フレーム部材は、上下方向に延びる一対の縦側板と、一対の縦側板を連結する連結部材とを有する。そして、椅子の形態においては、連結部材は背もたれとして機能することが好ましい。これにより、育児器具としての強度を確保できると共に、背もたれ付の椅子とすることによって子供にとって安全な育児器具を得ることができる。
【０００８】
椅子の形態においては、例えば、座板よりも下方に足板をさらに設けることが好ましい。また、椅子の形態においては、座板よりも上方に手摺部材をさらに設けることが好ましい。さらには、縦フレーム部材は、座板および足板の上下方向の位置を調整する高さ調整手段を有することが好ましい。
【０００９】
上記構成とすることにより、子供の成長に合わせて適正な状態で使用可能な椅子を得ることができる。例えば、幼児期には、手摺、座板、足板を有するハイチェアとして使用し、学童期には、手摺をはずして学童椅子として使用し、さらに座板または足板を外せば成人後も継続して使用可能な椅子となり得る。さらに、座板および足板の高さ調整を可能とすることにより、子供の成長に合わせて柔軟にサイズの変更が可能となる。
【００１０】
好ましくは、縦フレーム部材は、ベースフレーム部材に対する角度を変更可能に連結されている。これにより、ベッドとして使用する場合も椅子として使用する場合も、用途に応じて適切な形態に調節することが可能となる。
【発明の効果】
【００１１】
この発明は、子供の成長に合わせて用途およびサイズを変更し、継続して使用可能な育児器具を得ることができる。
【発明を実施するための最良の形態】
【００１２】
図２〜図５を参照して、この発明の一実施形態に係る育児器具を説明する。
【００１３】
育児器具１１は、基本構成として、左右一対の縦側板１２ａおよび幅方向連結部材１２ｂを有する縦フレーム部材１２と、左右一対のベース側板１３ａおよび幅方向連結部材１３ｂを有するベースフレーム部材１３とを備え、両部材１２，１３は縦フレーム部材１２の下端部で相互に連結されている。
【００１４】
図２に示す育児器具１１は揺動式ベッドの形態であって、縦側板１２ａに支持板１４を介して寝床部材１５が設けられており、寝床部材１５は、回動軸１５ａ〜１５ｄにより揺動可能とされる。
【００１５】
一方、図３に示す育児器具１１は椅子の形態であって、縦フレーム部材１２の中間位置に支持された座板２１と、座板２１よりも下方に配置される足板２２と、座板２１よりも上方に配置される手摺部材２３とをさらに備えるハイチェアである。また、幅方向連結部材１２ｂは、背もたれとして利用される。
【００１６】
上記構成のように、縦フレーム部材１２とベースフレーム部材１３とで構成される育児器具１１は、寝床部材１５を配置してベッドとして利用することができ、座板２１、足板２２、手摺部材２３を配置してハイチェアとして利用することができる。このように、用途の異なる育児器具に変更可能とすることにより、子供の成長に合わせて継続して使用可能な育児器具１１を得ることができる。
【００１７】
また、一対の縦側板１２ａの内側には、図４に示すように、座板２１および足板２２の高さ調整手段として複数の溝１２ｃが形成されており、任意の位置の溝１２ｃを選択することにより、座板２１および足板２２の高さを調節することができる。これにより、成長の早い子供の使用する椅子として、常に適正な高さを維持することが可能となる。なお、図４では、座板２１のみを図示しているが、足板２２についても同様である。
【００１８】
さらに、座板２１、足板２２および手摺部材２３は必要に応じて着脱が可能である。これにより、例えば、幼児期には、図３に示すように座板２１、足板２２、手摺部材２３を有するハイチェアとして使用し、学童期には、手摺２３をはずして学童椅子として使用し、図５に示すようにさらに座板２１を外せば成人後も継続して使用可能な椅子となり得る。なお、足板２２を外して、座板２１を適正な位置に配置して使用することも可能である。
【００１９】
このように、座板２１および足板２２の高さを調整し、かつ、必要に応じて座板２１、足板２２および手摺部材２３を取り外すことによって、ベビーベッドとして使用しなくなった後においても、長期間継続して使用可能な育児器具１１を得ることができる。
【００２０】
なお、上記の実施形態において、縦フレーム部材１２とベースフレーム部材１３との連結部分には、その角度を調整する角度調整板がそれぞれ設けられており、ベッドの形態と椅子の形態とで角度調整板１６，２４は互いに角度が異なる。
【００２１】
ベッドの形態においては、子供の世話をしやすいように寝床部材１５を低い位置に保持する必要があることから、角度調整板１６の角度を小さくしている。それに対して小さい子供の座るハイチェアの形態においては、座板２１を高い位置に配置する必要があることから、角度調整板２４の角度を大きくしている。
【００２２】
このように、育児器具１１の使用形態に合わせて縦フレーム部材１２とベースフレーム部材１３との角度を適正値に設定することにより、より汎用性の高い育児器具１１を得ることができる。
【００２３】
上記の実施形態においては、専用の角度調整板１６，２４を取り替えて、育児器具１１をベッドの形態と椅子の形態とに変更した例を示したが、これに限ることなく、任意の角度に調整可能な角度調整装置を用いることとしてもよい。
【００２４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２５】
この発明は、子供の成長に合わせて用途を変えることにより、継続して使用可能な育児器具に有利に利用される。
【図面の簡単な説明】
【００２６】
【図１】従来の揺動式ベッドの形態を示す図である。
【図２】本発明の一実施形態に係る育児器具であって、ベッドの形態を示す側面図である。
【図３】本発明の一実施形態に係る育児器具であって、ハイチェアの形態を示す側面図である。
【図４】図３に示すハイチェアの部分正面図であって、座板および足板の高さ調節手段の一例を示す図である。
【図５】本発明の一実施形態に係る育児器具であって、椅子の形態を示す側面図である。
【符号の説明】
【００２７】
１  揺動式ベッド、２，１５  寝床部材、３  頭部側支持枠、４  足部側支持枠、５  吊り下げ部材、１１  育児器具、１２  縦フレーム部材、１２ａ  縦側板、１２ｂ，１３ｂ  幅方向連結部材、１２ｃ  溝、１３  ベースフレーム部材、１３ａ  ベース側板、１４  支持板、１５ａ，１５ｂ，１５ｃ，１５ｄ  回動軸、１６，２４  角度調整板、２１  座板、２２  足板、２３  手摺部材。
【図１】
2006320508.tif 000003
【図２】
2006320508.tif 000004
【図３】
2006320508.tif 000005
【図４】
2006320508.tif 000006
【図５】
2006320508.tif 000007